(57)【特許請求の範囲】
【請求項１】
床面と壁面とを有するトイレ室内に設置された小便用トイレ装置において、
壁面に設けられた小便器と、
小便器近傍の床面に設置された踏段とを備え、
踏段上面は床面から３０ｍｍ乃至１００ｍｍの高さを有し、
踏段の後部に、踏段の一方の側方から他方の側方へ一直線状に延びるとともに、踏段上面から上方に持ち上がる突出部が設けられ、
突出部は、長手方向に垂直な方向の断面形状が半円または半楕円形であることを特徴とする小便用トイレ装置。
【請求項２】
踏段上面全体は、突出部を除いて水平面上に配置されていることを特徴とする請求項１記載の小便用トイレ装置。
【請求項３】
踏段後部の突出部から床面に向けて傾斜面が設けられていることを特徴とする請求項１記載の小便用トイレ装置。
【請求項４】
トイレ室の壁面から踏段の突出部までの距離が、４００ｍｍ乃至５００ｍｍとなっていることを特徴とする請求項１記載の小便用トイレ装置。
【請求項５】
床面と壁面とを有するトイレ室の壁面に設けられた小便器の近傍に設置される踏段において、
トイレ室の床面に設置され、床面から３０ｍｍ乃至１００ｍｍの高さを有する踏段上面を有する踏段本体と、
踏段本体の後部に設けられ、踏段本体の一方の側方から他方の側方へ一直線状に延びるとともに、踏段上面から上方に持ち上がる突出部とを備え、
突出部は、長手方向に垂直な方向の断面形状が半円または半楕円形であることを特徴とする踏段。
【発明の詳細な説明】
【技術分野】
【０００１】
本発明は、床面と壁面とを有するトイレ室内に設置され、壁面に設けられた小便器と、小便器近傍の床面に設置された踏段とを有する小便用トイレ装置および小便用トイレ装置の踏段に関する。
【背景技術】
【０００２】
一般に飲食店、商業施設、公共施設、駅等の建築物内には男女別のトイレ室が設置されており、このうち男性用のトイレ室の壁面には小便器が設けられている。
【０００３】
このような小便器に対して放尿する際、使用者は小便器の手前に立った状態で行なう。この際、使用者が小便器から離れすぎていると、一部の尿が小便器内に入らず、小便器周囲に飛散したり垂れたりする場合がある。このため、小便器に入らなかった尿がトイレ室の床面を汚してしまい、これにより小便器周囲の床面を頻繁に清掃する必要が生じている。
【０００４】
また従来、小便器周囲を清掃し易くする等の理由により、図５（ａ）−（ｃ）に示すように、小便器近傍の床面にマット５０を敷くことも行われている。しかしながら、このようなマット５０は厚さが比較的面積が大きいため、使用者は必ずしも小便器に近い位置に立たなくても用を足すことができる。この結果、使用者は小便器から離れた位置で放尿する場合もあり、小便器周囲に尿が飛散することを確実に防止することはできない。
【特許文献１】実用新案登録第３１０９７７５号公報
【特許文献２】特開平１１−２５６６６３号公報
【特許文献３】特開２００２−２７６０１１号公報
【発明の開示】
【発明が解決しようとする課題】
【０００５】
また特許文献１には、小便器周囲の床面に汚れが発生することを防止するための小便器用踏み台が開示されている。しかしながら、特許文献１記載の踏み台は、踏み台上面が小便器に対して下方に傾斜しているため、場合によっては使用者がバランスを崩してしまうおそれがある。
【０００６】
本発明はこのような点を考慮してなされたものであり、小便器近傍の床面に尿が飛散するのを防止することができ、使用者にとって使いやすい小便用トイレ装置および踏段を提供することを目的とする。
【課題を解決するための手段】
【０００７】
本発明は、床面と壁面とを有するトイレ室内に設置された小便用トイレ装置において、壁面に設けられた小便器と、小便器近傍の床面に設置された踏段とを備え、踏段上面は床面から３０ｍｍ乃至１００ｍｍの高さを有し、踏段の後部に、踏段の一方の側方から他方の側方へ一直線状に延びるとともに、踏段上面から上方に持ち上がる突出部が設けられ、突出部は、長手方向に垂直な方向の断面形状が半円または半楕円形であることを特徴とする小便用トイレ装置である。
【０００８】
本発明は、踏段上面全体は、突出部を除いて水平面上に配置されていることを特徴とする小便用トイレ装置である。
【０００９】
本発明は、踏段後部の突出部から床面に向けて傾斜面が設けられていることを特徴とする小便用トイレ装置である。
【００１０】
本発明は、トイレ室の壁面から踏段の突出部までの距離が、４００ｍｍ乃至５００ｍｍとなっていることを特徴とする小便用トイレ装置である。
【００１１】
本発明は、床面と壁面とを有するトイレ室の壁面に設けられた小便器の近傍に設置される踏段において、トイレ室の床面に設置され、床面から３０ｍｍ乃至１００ｍｍの高さを有する踏段上面を有する踏段本体と、踏段本体の後部に設けられ、踏段本体の一方の側方から他方の側方へ一直線状に延びるとともに、踏段上面から上方に持ち上がる突出部とを備え、突出部は、長手方向に垂直な方向の断面形状が半円または半楕円形であることを特徴とする踏段である。
【発明の効果】
【００１２】
本発明によれば、踏段上面は床面から３０ｍｍ乃至１００ｍｍの高さを有し、踏段の後部に、踏段の一方の側方から他方の側方へ延びるとともに、踏段上面から上方に持ち上がる突出部が設けられている。これにより、使用者は、放尿時に必然的に踏段上面の突出部より前方に立つことになるため、使用者を小便器に近づけることができ、小便器近傍の床面に尿が飛散することを確実に防止することができる。
【発明を実施するための最良の形態】
【００１３】
以下、本発明による小便用トイレ装置および踏段の一実施の形態について、図１乃至図４を参照して説明する。図１は、本発明の一実施の形態を示す正面図であり、図２は、本発明の一実施の形態を示す側面図である。図３は、本発明の一実施の形態を示す平面図であり、図４は、図３のIV部拡大図である。
【００１４】
まず、図１乃至図３により、本実施の形態による小便用トイレ装置および踏段の概略について説明する。
【００１５】
図１乃至図３に示すように、小便用トイレ装置１０は、床面２１と壁面２２とを有するトイレ室２０内に設置されている。この小便用トイレ装置１０は、壁面２２に設けられた壁掛け式の小便器１１と、小便器１１近傍の床面２１に設置された踏段１２とを備えている。
【００１６】
このうち踏段１２は、略直方体形状からなる踏段本体１２ａと、踏段本体１２ａの後部（すなわちトイレ室２０の壁面２２の反対側）に設けられた突出部１３とを有している。また踏段本体１２ａは踏段上面１２ｂを有し、この踏段上面１２ｂ全体は、突出部１３を除いて水平面上（すなわち床面２１に対して平行）に配置されている。
【００１７】
この踏段上面１２ｂは、使用者Ｍの足が載置される部分であり、床面２１から３０ｍｍ乃至１００ｍｍの高さを有している。この高さが３０ｍｍを下回ると、使用者Ｍは、踏段上面１２ｂ上に足を完全に載せずに小便器１１から十分に離れた位置に立っていても用を足すことができるため、床面２１への尿の飛散を確実に防止することはできない。他方、前記高さが１００ｍｍを上回ると、立ち位置が高すぎるため、使用者Ｍにとって使いにくい。
【００１８】
図１乃至図３に示すように、突出部１３は、踏段１２の一方（左）の側方から他方（右）の側方へ延びるとともに、踏段上面１２ｂから上方に持ち上がっている。図４に示すように、突出部１３は、長手方向に垂直な方向の断面形状が、略半円または略半楕円形状となっており、この垂直断面は、５０ｍｍの幅と２０ｍｍの高さとを有している。一方、突出部１３の長さは踏段１２の踏段本体１２ａの幅と同一であり、６００ｍｍとなっている。
【００１９】
また、踏段上面１２ｂの奥行き、すなわちトイレ室２０の壁面２２から踏段１２の突出部１３までの距離は、４００ｍｍ乃至５００ｍｍとなっている。この距離が４００ｍｍを下回ると、使用者Ｍが小便器１１に近づきすぎて用を足しにくい。他方この距離が５００ｍｍを上回ると、使用者Ｍが小便器１１から離れすぎてしまい、小便器１１に入らなかった尿が床面２１へ飛散するおそれがある。
【００２０】
ところで図１乃至図４に示すように、踏段１２後部の突出部１３から床面２１に向けて、傾斜面１４が設けられている。このような傾斜面１４が設けられていることにより、踏段１２後方の床面２１と踏段１２の傾斜面１４との間にゴミがたまりにくく、床面２１の清掃が容易となる。なお傾斜面１４と床面２１との間の角度は３０°乃至７０°程度とすることが好ましいが、これに限定されるものではない。
【００２１】
なお踏段１２の踏段本体１２ａと突出部１３とは、別体に構成された後で組み付けられても良く、あるいは踏段本体１２ａと突出部１３とを全体として一体に構成しても良い。また、踏段１２の材質は合成樹脂、金属、木材、ゴム等、特に問わないが、床面２１との間で滑りにくいものであることが好ましい。また踏段１２は、適当な固定手段により、トイレ室２０の床面２１および壁面２２のうちの少なくとも一方に固定連結されていても良い。
【００２２】
次に、このような構成からなる本実施の形態の作用について述べる。
まずトイレ室２０内に入った使用者Ｍは、用を足すため小便器１１の手前側に移動する。次に、使用者Ｍは、踏段１２より後方に立つと小便器１１から距離が離れすぎて、用を足すことが難しいため、踏段１２に上ることにより小便器１１に接近する。
【００２３】
この場合、使用者Ｍは、仮に自らの足の裏の一部が踏段１２の突出部１３に載っていると、自己の放尿姿勢が不安定であると感じる。とりわけ、使用者Ｍのかかとが突出部１３後方の傾斜面１４側に飛び出すと、踏段上面１２ｂが床面２１より高い位置にあるため、かかとが何物にも支持されず、その姿勢が不安定となる。このため、使用者Ｍは必然的に踏段１２の突出部１３より前方に移動し、足の裏全体が踏段上面１２ｂ上に載るようにする。したがって、使用者Ｍは小便器１１に近づいた場所に立ち、この場所で放尿を開始する。これにより、小便器１１近傍の床面２１に使用者Ｍの尿が飛散することが防止される。
【００２４】
このように、本実施の形態によれば、踏段上面１２ｂは床面２１から３０ｍｍ乃至１００ｍｍの高さを有し、踏段１２の後部に、踏段１２の一方の側方から他方の側方へ延びるとともに、踏段上面１２ｂから上方に持ち上がる突出部１３が設けられているので、使用者Ｍは、放尿時に必然的に踏段上面１２ｂの突出部１３より前方に立つことになる。このため、使用者Ｍを小便器１１に近づけることができ、小便器１１近傍の床面２１に尿が飛散することを確実に防止することができる。
【００２５】
また本実施の形態によれば、踏段上面１２ｂ全体は水平面上に配置されているので、使用者Ｍは踏段上面１２ｂに安定した状態で立つことができる。
【００２６】
また本実施の形態によれば、踏段１２後部の突出部１３から床面２１に向けて傾斜面１４が設けられているので、踏段１２後方の床面２１と踏段１２の傾斜面１４との間にゴミがたまりにくく、床面２１の清掃が容易である。
【００２７】
また本実施の形態によれば、踏段１２の突出部１３と壁面２２との間の距離が、４００ｍｍ乃至５００ｍｍとなっているので、使用者Ｍを小便器１１に近づけることができ、小便器１１近傍の床面２１に尿が飛散しないような適切な位置に立たせることができる。
【図面の簡単な説明】
【００２８】
【図１】図１は、本発明による小便用トイレ装置および踏段の一実施の形態を示す正面図。
【図２】図２は、本発明による小便用トイレ装置および踏段の一実施の形態を示す側面図。
【図３】図３は、本発明による小便用トイレ装置および踏段の一実施の形態を示す平面図。
【図４】図４は、図３のIV部拡大図。
【図５】図５（ａ）は、従来の小便用トイレ装置を示す正面図、図５（ｂ）は、従来の小便用トイレ装置を示す側面図、図５（ｃ）は、従来の小便用トイレ装置を示す平面図。
【符号の説明】
【００２９】
１０    小便用トイレ装置
１１    小便器
１２    踏段
１２ａ  踏段本体
１２ｂ  踏段上面
１３    突出部
１４    傾斜面
２０    トイレ室
２１    床面
２２    壁面
【図１】
0004685130.tif 000002
【図２】
0004685130.tif 000003
【図３】
0004685130.tif 000004
【図４】
0004685130.tif 000005
【図５】
0004685130.tif 000006